【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
エネルギーを標的組織領域に印加するシステムであって、
少なくとも１つのエネルギーエミッタを担持するアプリケータ内部を含むアプリケータと、
該エネルギーエミッタと動作的に関連して使用するために該アプリケータに取り付けられ、かつ、使用後に該アプリケータから取り外されるような大きさおよび構成を有する組織−アプリケータ界面と
を含み、
該組織−アプリケータ界面は生体障壁システムを含み、該生体障壁システムは、該組織−アプリケータ界面が該アプリケータに取り付けられる場合に、該標的組織領域における生理的液体との接触から該アプリケータ内部を隔離し、該生体障壁システムは、規定の伝導率を有する第１の生体障壁構成要素を含むことにより、実質的な干渉および電力損失を含むことなく該エネルギーエミッタから該標的組織領域にエネルギーを通過させる、システム。
【請求項２】
前記規定の伝導率は、０．１以下の損失正接ｔａｎδを含み、この場合、ｔａｎδ＝σ／ωεであり、式中、σは、前記第１の生体障壁構成要素の伝導率であり、ωは、前記エネルギーエミッタによって放出されるエネルギーの周波数であり、εは、該第１の生体障壁構成要素の誘電率である、請求項１に記載のシステム。
【請求項３】
前記組織−アプリケータ界面は組織取得チャンバを含み、該組織取得チャンバは、外部ソースにより生成され、かつ、該組織取得チャンバ内に伝達される陰圧に応答してエネルギーを印加するために、前記標的組織領域における組織を取得し、
前記生体障壁システムは、前記第１の生体障壁構成要素とは別の第２の生体障壁構成要素を含み、該第２の生体障壁は、該組織−アプリケータ界面が前記アプリケータに取り付けられる場合に、該組織取得チャンバと前記アプリケータ内部との間で陰圧のバランスを取るために、気体に対して実質的に透過性であり、該第２の生体障壁構成要素はまた、該標的組織領域における生理的液体との接触から該アプリケータ内部を隔離するとともに、該陰圧のバランスを取るために、液体に対して実質的に不透過性である、請求項１または請求項２に記載のシステム。
【請求項４】
前記第１の生体障壁構成要素は、気体に対して実質的に不透過性である、請求項１〜請求項３のいずれか一項に記載のシステム。
【請求項５】
前記生体障壁システムは、前記第１の生体障壁構成要素および前記第２の生体障壁構成要素とは別の第３の生体障壁構成要素を含み、該第３の生体障壁構成要素は、前記ソースから前記組織取得チャンバ内へ陰圧を伝達するために、気体に対して実質的に透過性であり、該第３の生体障壁構成要素はまた、前記標的組織領域における生理的液体との接触から該ソースを隔離するために、液体に対して実質的に不透過性である、請求項１〜請求項４のいずれか一項に記載のシステム。
【請求項６】
前記アプリケータは冷却板を含み、該冷却板は、前記組織−アプリケータ界面が該アプリケータに取り付けられる場合に、前記第１の生体障壁構成要素と熱伝導接触するような大きさおよび構成を有し、
該第１の生体障壁構成要素は、規定の熱伝導率を有することにより、実質的な干渉を含むことなく、該冷却板と前記標的組織領域との間で熱伝導が生じることを可能にする、請求項１〜請求項５のいずれか一項に記載のシステム。
【請求項７】
前記第１の生体障壁構成要素の前記規定の熱伝導率は、メートル・ケルビン当たり少なくとも０．１ワット（０．１Ｗ／ｍＫ）である、請求項６に記載のシステム。
【請求項８】
前記アプリケータは、反復使用のための大きさおよび構成を有し、
前記組織−アプリケータ界面は、単回使用の後に使い捨てするための大きさおよび構成を有する、請求項１〜請求項７のいずれか一項に記載のシステム。
【請求項９】
前記エネルギーエミッタは、マイクロ波エネルギーを放出するような大きさおよび構成を有する、請求項１〜請求項８のいずれか一項に記載のシステム。
【請求項１０】
腋窩を処置するために前記システムを使用するための説明書をさらに含む、請求項１〜請求項９のいずれか一項に記載のシステム。
【請求項１１】
前記アプリケータは、冷却板を担持し、かつ、前記エネルギーエミッタおよび該冷却板に結合されたセンサと通信するアプリケータ制御器を含み、
前記システムは、
規定のエネルギー形態を生成する生成器と、冷却剤を冷却する冷却器とを含むコンソールであって、該コンソールは、前記標的組織領域において外傷を形成するためにエネルギーを該エネルギーエミッタに伝送するように該生成器に結合されたエネルギー生成機能と、外傷形成を制御するために冷却剤を冷却剤板に循環させるための該冷却器に結合された外傷制御機能とを含む主制御器を含む、コンソールと、
該アプリケータを該コンソールに結合する特殊用途ケーブルシステムであって、該特殊用途ケーブルシステムは、エネルギーを該生成器から該エネルギーエミッタに伝達するケーブルと、冷却剤を該冷却板に循環させる該ケーブルとは別の供給導管および戻し導管と、該主制御器と該アプリケータ制御器との間の通信リンクを確立する、該ケーブルならびに供給導管および戻し導管とは別の通信チャネルとを含む、特殊用途ケーブルシステムと
をさらに含む、請求項１〜請求項５のいずれか一項に記載のシステム。
【請求項１２】
前記特殊用途ケーブルシステムは、前記アプリケータに固定された遠端と、コネクタを含む近端とを含み、該コネクタは、嵌合特殊用途接続部に対する解除可能な接続のための大きさおよび構成を有し、
該嵌合特殊用途接続部は、前記コンソール上に存在する、請求項１１に記載のシステム。
【請求項１３】
前記規定のエネルギー形態は、マイクロ波エネルギーを含む、請求項１１または請求項１２に記載のシステム。
【請求項１４】
前記規定のエネルギー形態は、周波数の中心を約５．８ＧＨｚとする、５．７７５ＧＨｚから５．８２５ＧＨｚのＩＳＭバンドにあるマイクロ波信号を含む、請求項１〜請求項１３のいずれか一項に記載のシステム。
【請求項１５】
腋窩を処置するために前記システムを使用するための説明書をさらに含む、請求項１〜請求項１４のいずれか一項に記載のシステム。
【手続補正２】
【補正対象書類名】明細書
【補正対象項目名】００１１
【補正方法】変更
【補正の内容】
【００１１】
システムおよび方法は、制御式エネルギー源、アプリケータ、およびアプリケータにより担持されたアプリケータ−組織界面を用いて、非侵襲的方式で、エネルギーを標的組織領域に印加する。システムおよび方法は、治療効果を提供する規定の外傷パターンを形成するために、例えば、脇の下（腋窩）の汗腺の機能を抑制または中断するために、制御様式でエネルギーを生成および印加することができる。
本発明は、例えば、以下を提供する。
（項目１）
エネルギーを標的組織領域に印加するシステムであって、
少なくとも１つのエネルギーエミッタを担持するアプリケータ内部を含むアプリケータと、
該エネルギーエミッタと動作的に関連して使用するために該アプリケータに取り付けられ、かつ使用後に該アプリケータから取り外されるような大きさと構成を有する組織−アプリケータ界面と
を備え、
該組織−アプリケータ界面は生体障壁システムを備え、該生体障壁システムは、該組織−アプリケータ界面が該アプリケータに取り付けられる場合に、該アプリケータ内部を、該標的組織領域における生理的液体との接触から隔離し、該生体障壁システムは、規定の伝導率を有する第１の生体障壁構成要素を含むことにより、実質的な干渉および電力損失を含むことなく該エネルギーエミッタから該標的組織領域にエネルギーを通過させる、
システム。
（項目２）
上記規定の伝導率は、０．１以下の損失正接ｔａｎδを含み、この場合、ｔａｎδ＝σ／ωεであり、式中、σは、上記第１の生体障壁構成要素の伝導率であり、ωは、上記エネルギーエミッタから放出されるエネルギーの周波数であり、εは、該第１の生体障壁構成要素の誘電率である、項目１に記載のシステム。
（項目３）
上記組織−アプリケータ界面は組織取得チャンバを含み、該組織取得チャンバは、外部ソースにより生成され、かつ該組織取得チャンバ内に伝達される陰圧に応答してエネルギーを印加するために、上記標的組織領域における組織を取得し、
上記生体障壁システムは、上記第１の生体障壁構成要素とは別の第２の生体障壁構成要素を含み、該第２の生体障壁は、該組織−アプリケータ界面が上記アプリケータに取り付けられる場合に、該組織取得チャンバと上記アプリケータ内部との間で陰圧のバランスを取るために、気体に対して実質的に透過性であり、該第２の生体障壁構成要素はまた、該標的組織領域における生理的液体との接触から該アプリケータ内部を隔離するとともに、該陰圧のバランスを取るために、液体に対して実質的に不透過性である、項目１または項目２に記載のシステム。
（項目４）
上記第１の生体障壁構成要素は、気体に対して実質的に不透過性である、項目１〜項目３のいずれか一項に記載のシステム。
（項目５）
上記生体障壁システムは、上記第１および第２の生体障壁構成要素とは別の第３の生体障壁構成要素を含み、該第３の生体障壁構成要素は、上記ソースから上記組織取得チャンバ内へ陰圧を伝達するために、気体に対して実質的に透過性であり、該第３の生体障壁構成要素はまた、上記標的組織領域における生理的液体との接触から該ソースを隔離するために、液体に対して実質的に不透過性である、項目１〜項目４のいずれか一項に記載のシステム。
（項目６）
上記アプリケータは冷却板を含み、該冷却板は、上記組織−アプリケータ界面が該アプリケータに取り付けられる場合に、上記第１の生体障壁構成要素と熱伝導接触するような大きさと構成を有し、
該第１の生体障壁構成要素は、規定の熱伝導率を有することにより、実質的な干渉を含むことなく、該冷却板と上記標的組織領域との間で熱伝導が生じることを可能にする、項目１〜５項目のいずれか一項に記載のシステム。
（項目７）
上記第１の生体障壁構成要素の上記規定の熱伝導率は、メートル・ケルビン当たり少なくとも０．１ワット（０．１Ｗ／ｍＫ）である、項目６に記載のシステム。
（項目８）
上記アプリケータは、反復使用のための大きさと構成を有し、
該アプリケータは、単回使用の後に使い捨てするための大きさと構成を有する、項目１〜項目７のいずれか一項に記載のシステム。
（項目９）
上記エネルギーエミッタは、マイクロ波エネルギーを放出するような大きさと構成を有する、項目１〜項目８のいずれか一項に記載のシステム。
（項目１０）
腋窩を処置するために上記システムを使用するための説明書をさらに含む、項目１〜項目９のいずれか一項に記載のシステム。
（項目１１）
エネルギーを標的組織領域に印加するシステムであって、
少なくとも１つのエネルギーエミッタおよび冷却板を担持するアプリケータであって、該エネルギーエミッタおよび該冷却板に連結されたセンサと通信するアプリケータ制御器を含むアプリケータと、
規定のエネルギー形態を生成する生成器と、冷却剤を冷却する冷却器とを含むコンソールであって、該コンソールは、該標的組織領域において外傷を形成するためにエネルギーを該エネルギーエミッタに伝送するように該生成器に連結されたエネルギー生成機能と、外傷形成を制御するために冷却剤を該冷却剤板に循環させるための該冷却器に連結された外傷制御機能とを含む、コンソールと、
該アプリケータを該コンソールに連結する特殊用途ケーブルシステムであって、該特殊用途ケーブルシステムは、エネルギーを該生成器から該エネルギーエミッタに伝達するケーブルと、冷却剤を該冷却板に循環させる該ケーブルとは別の供給導管および戻し導管と、該主制御器と該アプリケータ制御器との間の通信リンクを確立する、該ケーブルならびに供給導管および戻し導管とは別の通信チャネルとを含む、特殊用途ケーブルシステムと
を備える、システム。
（項目１２）
上記特殊用途ケーブルシステムは、上記アプリケータに固定された遠端とコネクタを備える近端とを含み、該コネクタは、嵌合特殊用途接続部に対する解除可能な接続のための大きさと構成を有し、
該嵌合特殊用途接続部は、上記コンソール上に存在する、項目１１に記載のシステム。
（項目１３）
上記規定のエネルギー形態は、マイクロ波エネルギーを含む、項目１１または項目１２に記載のシステム。
（項目１４）
上記規定のエネルギー形態は、周波数の中心を約５．８ＧＨｚとする、５．７７５ＧＨｚから５．８２５ＧＨｚのＩＳＭバンドにあるマイクロ波信号を含む、項目１１〜項目１３のいずれか一項に記載のシステム。
（項目１５）
腋窩を処置するために上記システムを使用するための説明書をさらに含む、項目１１〜項目１４のいずれか一項に記載のシステム。
（項目１６）
エネルギーを標的組織領域に印加する方法であって、
項目１〜項目１５のいずれか一項に記載のシステムを提供するステップと、
該標的組織領域において外傷を形成するために該システムを動作するステップと
を含む、方法。
（項目１７）
上記システムを動作するための説明書を提供するステップをさらに含む、項目１６に記載の方法。
（項目１８）
上記外傷は、腋窩に形成される、項目１６または項目１７に記載の方法。
（項目１９）
上記外傷は、多汗症を処置する、項目１６〜項目１８のいずれか一項に記載の方法。